(57)【要約】【課題】使用により内容物が少なくなった場合であっても、一定の噴射圧力で一定量を噴射することにより適用箇所を適切に刺激することができ、かつ、原液に溶解している炭酸ガスにより、継続的に血行促進効果を得ることのできる加圧式噴射製品を提供する。【解決手段】原液と該原液に一部が溶解する炭酸ガスとが含まれる内容物を充填する容器本体と、前記容器本体に取り付けられ、前記容器本体から前記原液を取り込み、加圧するポンプ機構とを備える加圧式噴射製品。【選択図】図１
2015182813.tif 000002
【特許請求の範囲】
【請求項１】
原液と該原液に一部が溶解する炭酸ガスとが含まれる内容物を充填する容器本体と、
前記容器本体に取り付けられ、前記容器本体から前記原液を取り込み、加圧するポンプ機構とを備える、加圧式噴射製品。
【請求項２】
前記ポンプ機構は、
前記容器本体内に空気を導入するための空気導入路と、
前記空気導入路を閉止する閉状態と、前記空気導入路を開放する開状態とに変位する逆止弁機構と、を備える、請求項１記載の加圧式噴射製品。
【請求項３】
前記ポンプ機構は、前記原液を０．５〜１．５ＭＰａに加圧する、請求項１または２記載の加圧式噴射製品。
【請求項４】
前記逆止弁機構は、
前記閉状態において、所定の閉止圧により前記空気導入路を閉止し、
前記ポンプ機構が前記原液を取り込む際の前記容器本体の内圧の低下量が、前記閉止圧を上回る場合に、前記閉状態から前記開状態に変位する、請求項２または３記載の加圧式噴射製品。
【請求項５】
前記ポンプ機構は、筒状のハウジングと、前記ハウジング内に上下方向に摺動自在に収容されるステムを含むバルブ機構とをさらに備え、
前記空気導入路は、前記ハウジングの内周壁と、前記ハウジング内に収容された前記ステムの外周壁とにより画定される空間であり、
前記逆止弁機構は、
前記ハウジングに取り付けられる外周縁と、前記ステムが挿通される挿通孔を画定する内周縁とを有する基部と、
前記内周縁から下方に延設され、前記ステムの前記外周壁と面接触する筒部とを含み、
前記閉止圧は、前記筒部が前記ステムの前記外周壁と面接触する面接触圧と、前記容器本体の内圧とを含む、請求項４記載の加圧式噴射製品。
【発明の詳細な説明】
【技術分野】
【０００１】
本発明は、加圧式噴射製品に関する。より詳細には、本発明は、ポンプ機構を備え、使用により炭酸ガスを含む原液の量が少なくなった場合であっても、原液を一定の噴射圧力で一定量噴射することのできる加圧式噴射製品に関する。
【背景技術】
【０００２】
従来、炭酸ガスを含む内容物を皮膚（たとえば頭皮）や口腔（たとえば歯茎）などの適用箇所に噴射するエアゾール製品が知られている。特許文献１には、血行促進剤を含有する養毛・育毛料と、炭酸ガスとを含む内容物を耐圧容器に密封した養毛・育毛料が開示されている。炭酸ガスは、適切な量が適応箇所に付与されることにより血行促進効果を奏する。また、勢いよく噴射された内容物は、適用箇所を刺激する効果を奏する。
【０００３】
一方、有効成分を含有したポンプ製品も知られている。特許文献２には、含水組成物に、飽和圧力が０．２〜２．０ｋｇ／ｃｍ2−Ｇ（２５℃）となる量の窒素を溶解させたディスペンサ用組成物が容器に充填されたポンプ付き容器が開示されている。溶解された窒素により、たとえばソフトな霧状の噴射物が得られる。
【先行技術文献】
【特許文献】
【０００４】
【特許文献１】特公昭６３−４７６８４号公報
【特許文献２】特開２０００−２３７６４２号公報
【発明の概要】
【発明が解決しようとする課題】
【０００５】
特許文献１に記載の養毛・育毛料は、圧縮ガスを噴射剤としたエアゾール製品である。そのため、この養毛・育毛料は、使用により内容物が少なくなると、容器内の圧力が低下して噴射力や単位時間当たりの噴射量が低下し、適用箇所を刺激する効果が得られにくくなる。また、特許文献２に記載のポンプ容器は、窒素をソフトな霧状に噴射するものであり、原液への溶解量が非常に少ないため適用箇所を刺激する効果は充分でない。また、窒素は、炭酸ガスと同様の効果（たとえば血行促進効果）を奏さない。
【０００６】
本発明は、このような従来の事情に鑑みてなされたものであり、使用により内容物が少なくなった場合であっても、一定の噴射圧力で一定量を噴射することにより適用箇所を適切に刺激することができ、かつ、原液中に溶解している炭酸ガスにより、安定して継続的に血行促進効果を得ることのできる加圧式噴射製品を提供することを目的とする。
【課題を解決するための手段】
【０００７】
本発明の一局面による加圧式噴射製品は、原液と該原液に一部が溶解する炭酸ガスとが含まれる内容物を充填する容器本体と、前記容器本体に取り付けられ、前記容器本体から前記原液を取り込み、加圧するポンプ機構とを備えることを特徴とする。
【０００８】
このような構成によれば、加圧式噴射製品は、容器本体から原液を取り込み、加圧するポンプ機構を備える。そのため、加圧式噴射製品は、容器内の圧力が低下しても炭酸ガスが溶解した原液を一定の噴射圧力で一定量噴射することができる。その結果、加圧式噴射製品は、たとえば皮膚（たとえば頭皮）や口腔（たとえば歯茎）などの適用箇所に対して、噴射力による刺激と炭酸ガスによる血行促進効果を継続的に付与することができる。
【０００９】
上記構成において、前記ポンプ機構は、前記容器本体内に空気を導入するための空気導入路と、前記空気導入路を閉止する閉状態と、前記空気導入路を開放する開状態とに変位する逆止弁機構と、を備えることが好ましい。
【００１０】
上記構成によれば、逆止弁機構は、空気導入路を閉止する閉状態と、空気導入路を開放する開状態とに変位する。そのため、逆止弁機構が閉状態にある場合には、容器本体内の炭酸ガスは、漏洩されにくい。一方、逆止弁機構が閉状態から開状態に変位することにより、ポンプ機構は、容器本体に空気を適宜導入することができる。そのため、逆止弁機構は、たとえば使用により容器本体の内圧が低下した場合に、容器本体内に空気を導入することができ、容器本体の内圧を維持することができる。その結果、容器本体の内圧が低下し過ぎず、原液に溶解している炭酸ガスは容器本体の気相部分に揮発しにくい。したがって、加圧式噴射製品は、適用箇所に対して、一定の噴射圧力で一定量を噴射して刺激を与えることができることに加え、原液に充分に溶解している炭酸ガスにより、充分な血行促進効果も安定して継続的に付与することができる。
【００１１】
上記構成において、前記ポンプ機構は、前記原液を０．５〜１．５ＭＰａに加圧することが好ましい。
【００１２】
上記構成によれば、ポンプ機構は、原液を０．５〜１．５ＭＰａに加圧する。そのため、加圧式噴射製品は、適用箇所に対して、充分な刺激を与えることができる。
【００１３】
上記構成において、前記逆止弁機構は、前記閉状態において、所定の閉止圧により前記空気導入路を閉止し、前記ポンプ機構が前記原液を取り込む際の前記容器本体の内圧の低下量が、前記閉止圧を上回る場合に、前記閉状態から前記開状態に変位することが好ましい。
【００１４】
上記構成によれば、逆止弁機構は、閉状態において、所定の閉止圧により空気導入路を閉止する。また、逆止弁機構は、ポンプ機構が原液を取り込む際の容器本体の内圧の低下量が閉止圧を上回る場合に、閉状態から開状態に変位する。そのため、逆止弁機構は、内圧の低下量が閉止圧以下の場合には、閉状態に維持され、容器本体と外部とを遮断し、容器本体からの炭酸ガスの漏洩を防ぐことができる。一方、逆止弁機構は、内圧の低下量が閉止圧を上回る場合には、閉状態から開状態に変位する。そのため、逆止弁機構は、外部から空気を容器本体内に導入することができる。その結果、容器本体の内圧は、導入された空気により適宜高められる。したがって、原液に溶解している炭酸ガスは、容器本体の気相部分に揮発しにくい。
【００１５】
上記構成において、前記ポンプ機構は、筒状のハウジングと、前記ハウジング内に上下方向に摺動自在に収容されるステムを含むバルブ機構とをさらに備え、前記空気導入路は、前記ハウジングの内周壁と、前記ハウジング内に収容された前記ステムの外周壁とにより画定される空間であり、前記逆止弁機構は、前記ハウジングに取り付けられる外周縁と、前記ステムが挿通される挿通孔を画定する内周縁とを有する基部と、前記内周縁から下方に延設され、前記ステムの前記外周壁と面接触する筒部とを含み、前記閉止圧は、前記筒部が前記ステムの前記外周壁と面接触する面接触圧と、前記容器本体の内圧とを含むことが好ましい。
【００１６】
上記構成によれば、逆止弁機構は、ハウジングに取り付けられる外周縁と、ステムが挿通される挿通孔を画定する内周縁とを有する基部と、内周縁から下方に延設され、ステムの外周壁と面接触する筒部とを含む。逆止弁機構が閉状態において空気導入路を閉止する閉止圧は、筒部がステムの外周壁と面接触する面接触圧と、容器本体の内圧とを含む。そのため、逆止弁機構は、内圧の低下量が閉止圧以下の場合には、ステムの外周壁と面接触する筒部により閉状態が維持され、容器本体と外部とを充分に遮断し、容器本体からの炭酸ガスの漏洩を防ぐことができる。一方、逆止弁機構は、内圧の低下量が閉止圧を上回る場合には、逆止弁機構の筒部と外周壁との面接触が一時的に解消され、閉状態から開状態に変位する。そのため、空気導入路は、容器本体と外部とを連通する。その結果、容器本体の内圧の低下により外部の空気は、容器本体内に導入される。導入された空気により容器本体の内圧が上昇すると、逆止弁機構の筒部は、容器本体の上昇した内圧と筒部の面接触圧とを含む閉止圧でステムの外周壁と面接触するよう形状復帰し、再び開状態から閉状態に変位する。その結果、加圧式噴射製品は、導入された空気により容器本体の内圧を適宜高めることができ、かつ、炭酸ガスの揮発をより効果的に防ぐことができる。
【発明の効果】
【００１７】
本発明によれば、使用により内容物が少なくなった場合であっても、一定の噴射圧力で一定量を噴射することにより適用箇所を適切に刺激することができ、かつ、原液中に溶解している炭酸ガスにより、継続的に血行促進効果を得ることのできる加圧式噴射製品を提供することができる。
【図面の簡単な説明】
【００１８】
【図１】図１は、本発明の一実施形態の加圧式噴射製品の模式的な断面図である。
【図２】図２は、図１に示される加圧式噴射製品の拡大図である。
【図３】図３は、閉状態にあるシール材の模式的な断面図である。
【図４】図４は、噴射動作において所定の長さ分だけ噴射ノズルが押し下げられた状態を説明する模式的な断面図である。
【図５】図５は、噴射動作において噴射ノズルが完全に押し下げられた状態を説明する模式的な断面図である。
【図６】図６は、開状態にあるシール材の模式的な断面図である。
【図７】図７は、本発明の変形実施形態の噴射部材の模式的な上面図である。
【図８】図８は、本発明の変形実施形態の噴射部材の模式的な上面図である。
【発明を実施するための形態】
【００１９】
本発明の一実施形態の加圧式噴射製品が、図面を参照して説明される。図１は、本実施形態の加圧式噴射製品１の模式的な断面図である。図２および図３は、図１に示される本実施形態の加圧式噴射製品１の拡大図である。図１に示される加圧式噴射製品１は、噴射動作が行われていない状態（非噴射時）である。加圧式噴射製品１は、内容物と、内容物を充填するための容器本体２と、容器本体２に取り付けられるポンプバルブ３（ポンプ機構の一例）と、ポンプバルブ３に取り付けられる噴射部材４とを備える。内容物は、原液５と、原液５に溶解する炭酸ガスとを含む。本実施形態の加圧式噴射製品１によれば、ポンプバルブ３により、炭酸ガスを含んだ原液５が、一定量噴射される。以下、それぞれの構成について説明する。なお、以下に示される実施形態は一例であり、加圧式噴射製品１の構成は、炭酸ガスを含む原液５を一定の噴射圧力で一定量噴射することのできる構成であれば特に限定されない。
【００２０】
＜容器本体２＞
容器本体２は、内容物を充填するための耐圧容器であり、有底筒状の本体部２１と、本体部２１よりも小径であり本体部２１の上部に一体的に設けられた筒状の首部２２とを含む。首部２２の上部には開口が形成されている。開口は、内容物を充填する際の充填口であり、内容物の充填後にポンプバルブ３により閉止される。
【００２１】
容器本体２を構成する材料は、特に限定されない。容器本体２を構成する材料は、ポリエチレンテレフタレート、ポリエチレン等の合成樹脂が例示される。他にも、たとえば、日光による内容物の劣化を防止するために紫外線吸収剤が含有されてもよく、炭酸ガスの透過を防止するために容器本体の外表面または内面に炭素やシリカなどが蒸着されてもよい。首部２２の外周には、後述されるネジキャップ６２と接続するための雄ネジ部２３が形成されている。
【００２２】
＜ポンプバルブ３＞
ポンプバルブ３は、容器本体２から原液５を取り込んで加圧するための部材であり、ハウジング６と、ハウジング６内に収容されるバルブ機構７と、ハウジング６とバルブ機構７とによって形成され、容器本体２内に空気を導入するための空気導入路を開閉する逆止弁機構８とを備える。バルブ機構７は、ハウジング６内を上下方向に摺動自在に収容されるステム７１（内部ステム７４および外部ステム７５）を含む。なお、逆止弁機構は、本実施形態に好適に設けられる機構であり、必須ではない。
【００２３】
（ハウジング６）
ハウジング６は、筒状のハウジング本体６１と、ハウジング本体６１に接続され、ハウジング本体６１を容器本体２に取り付けるためのネジキャップ６２とを備える。
【００２４】
ハウジング本体６１は、噴射される前の原液５が一時的に貯留される貯留空間Ｓ１と、後述する外部から導入される空気が通過する空気導入空間Ｓ２とを内部に備える円筒状の部材である。貯留空間Ｓ１と空気導入空間Ｓ２とは、後述するピストン部材７２により区画される。ハウジング本体６１は、後述する外部ステム７５が出没する開口が形成された上端と、容器本体２に貯留される原液５を取り込むためのチューブ６３が接続される下端とを有する。
【００２５】
ハウジング本体６１の上端には、径方向の外側へ突出するフランジ部６１ａが周設されている。フランジ部６１ａは、容器本体２にハウジング本体６１を位置決めするための部位であり、フランジ部６１ａの大きさ（外径）は、容器本体２の首部２２の外径と略一致する。フランジ部６１ａの下面と容器本体２の首部２２の上端とは、ガスケット６４を介して位置決めされる。ハウジング本体６１は、フランジ部６１ａにより位置決めされた状態において、ハウジング本体６１の外周壁と容器本体２の首部２２の内周壁とは離間している。
【００２６】
ハウジング本体６１の下端近傍には、ハウジング本体６１よりも径の小さな小径部６１ｂが形成されている。小径部６１ｂには、チューブ６３が差し込まれる連結溝６１ｃが形成されている。チューブ６３は、容器本体２の内底近傍まで延びる比較的長尺の円筒状部材であり、小径部６１ｂの連結溝６１ｃに差し込まれる一端と、容器本体２に貯留された原液５中に浸漬され、原液５を取り込むための開口が形成された他端とを有する。
【００２７】
小径部６１ｂの中央には、容器本体２からチューブ６３を介して取り込まれる原液５をハウジング本体６１の貯留空間Ｓ１に導入するための液相連通孔６１ｄが形成されている。液相連通孔６１ｄと貯留空間Ｓ１との接続箇所には、ボール弁機構６５が設けられている。
【００２８】
ボール弁機構６５は、容器本体２から貯留空間Ｓ１への一方向に原液５を取り込むための弁機構である。ボール弁機構６５は、ハウジング本体６１の下端近傍において、ハウジング本体６１の内周壁が径方向の内側へ膨出することにより形成された凹部６５ａと、凹部６５ａに落とし込まれたボール６５ｂとを含む。ボール６５ｂは、噴射部材４を操作しないときは自重により液相連通孔６１ｄと貯留空間Ｓ１との連通箇所を閉止する。一方、ボール６５ｂは、噴射部材４を操作して容器本体２に貯留された原液５が貯留空間Ｓ１に取り込まれる際に発生する液流によって持ち上げられ、液相連通孔６１ｄと貯留空間Ｓ１との連通箇所を開放する。
【００２９】
ハウジング本体６１の側周壁には、後述するピストン部材７２により適宜開閉される空気導入孔６１ｅが形成されている。空気導入孔６１ｅは、外部の空気を容器本体２内に導入するための孔である。空気導入孔６１ｅは、非噴射時にはピストン部材７２により閉止され、噴射時にはピストン部材７２が下方向に摺動されることにより開放される。
【００３０】
ネジキャップ６２は、フランジ部６１ａの上面を押さえ、中央に開口が形成された円盤状の天板６２ａと、天板６２ａの外周縁から下方へ設けられた側周部６２ｂと、天板６２ａの内周縁から上方へ設けられた円筒状の装着部６２ｃとを有する。側周部６２ｂの内周壁には、首部２２の雄ネジ部２３と接続するための雌ネジ部６２ｄが形成されている。装着部６２ｃは、内周壁において径方向内側へ周設されたカバー部６２ｅと、外周壁において径方向の外側へ突出するよう周設された係合部６２ｆとを備える。カバー部６２ｅは、ハウジング本体６１に対して後述する逆止弁機構８を位置決めするための部位である。係合部６２ｆは、噴射部材４をネジキャップ６２に取り付けるための部位である。
【００３１】
（バルブ機構７）
バルブ機構７は、貯留空間Ｓ１に取り込まれた一定量の原液５を加圧するための部材であり、ハウジング本体６１内に上下方向に摺動自在に収容されるステム７１と、ステム７１と当接しつつ摺動し、ハウジング本体６１の内部を貯留空間Ｓ１と空気導入空間Ｓ２とに区画するピストン部材７２と、ステム７１を上方に付勢するバネ部材７３とを備える。
【００３２】
ステム７１は、ステム孔７６が形成された内部ステム７４と、内部ステム７４の上部に装着され、ハウジング本体６１の上端に形成された開口から出没する外部ステム７５とを含む。内部ステム７４と外部ステム７５とは、同軸上に設けられており、ハウジング本体６１内を一体的に上下方向に摺動する。
【００３３】
内部ステム７４は、下向きの椀状であり、下面にバネ部材７３の上端が接続される比較的大径の椀状部７４ａと、椀状部７４ａよりも小径であり、椀状部７４ａの上面中央から上方に延びる円筒状の円筒部７４ｂとを含む。
【００３４】
椀状部７４ａの上面と円筒部７４ｂとの接続箇所には、後述するピストン部材７２の内側摺動部７７の下端が当接する環状の当接溝７４ｈが形成されている。椀状部７４ａの下面には、バネ部材７３の上端が接続される環状の接続溝７４ｃが形成されている。
【００３５】
円筒部７４ｂは、原液５の噴射時に貯留空間Ｓ１に貯留された原液５が通過する内部ステム内通路７４ｄを有する。また、円筒部７４ｂは、外周壁に、内部ステム内通路７４ｄと貯留空間Ｓ１とを連通するステム孔７６が形成された筒状の円柱部７４ｅと、円柱部７４ｅの上端から上方にかけて縮径された縮径部７４ｆと、縮径部７４ｆの上端から上方に延びる筒状の小径部７４ｇとを含む。円柱部７４ｅと縮径部７４ｆと小径部７４ｇとは、いずれも同軸上に形成されている。
【００３６】
外部ステム７５は、原液５の噴射時に内部ステム内通路７４ｄを通過した原液５がさらに通過する外部ステム内通路７５ａを備え、小径部７４ｇを取り囲む円錐台状のスカート部７５ｂと、スカート部７５ｂの上端から上方にかけて縮径された縮径部７５ｃと、縮径部７５ｃの上端から上方に延びる筒状部７５ｄとを含む。筒状部７５ｄの一部には、筒状部７５ｄよりも外径の小さな小径部７５ｅが形成されている。小径部７５ｅは、非噴射時および噴射時ともに後述するシール材８２の筒部８２ｂの上端よりも上方となる位置に形成される上端と、非噴射時において後述するシール材８２よりも上方となる位置であって、かつ、噴射時においてはシール材８２の筒部８２ｂの下端よりもわずかに上方となる位置に形成される下端とを有する。筒状部７５ｄの上端は、容器本体２から突出しており、噴射部材４が取り付けられる。筒状部７５ｄの外径は、ハウジング本体６１の内径よりも小さい。そのため、外部ステム７５の外周壁とハウジング本体６１の内周壁とにより、外部から導入される空気が通過する空間（空気導入路）が画定される。
【００３７】
スカート部７５ｂは、原液５の噴射時に下端をピストン部材７２の後述する連結環７９に押し当てて、ピストン部材７２を下方へ移動させるための部位である。スカート部７５ｂの外径は、椀状部７４ａと同程度である。スカート部７５ｂの内径は、小径部７４ｇの外径よりも大きい。そのため、スカート部７５ｂの内周壁と小径部７４ｇの外周壁とは離間される。このように離間されて形成された空間には、後述するピストン部材７２の上部内側摺動部７７ａが挿入される。
【００３８】
筒状部７５ｄの内径は、小径部７４ｇの外径と同程度である。そのため、外部ステム７５は、小径部７４ｇの上部を筒状部７５ｄの下端側から挿入することにより内部ステム７４に装着される。装着された状態において、内部ステム内通路７４ｄと外部ステム内通路７５ａとは連通される。
【００３９】
ピストン部材７２は、ハウジング本体６１の内部空間を貯留空間Ｓ１と空気導入空間Ｓ２とに区画するとともに、ステム孔７６および空気導入孔６１ｅを適宜開閉するための部材であり、内部ステム７４および外部ステム７５と適宜摺動しながらハウジング本体６１内を上下方向に移動する。ピストン部材７２は、内部ステム７４の外周壁と摺動する内側摺動部７７と、ハウジング本体６１の内周壁と摺動する外側摺動部７８と、内側摺動部７７と外側摺動部７８とを連結する連結環７９とを含む。連結環７９は、内側摺動部７７と外側摺動部７８との中心近傍をつなぐ。
【００４０】
内側摺動部７７は、ステム孔７６を適宜開閉するための部位であり、連結環７９との接続箇所の上部に相当する上部内側摺動部７７ａと、連結環７９との接続箇所の下部に相当する下部内側摺動部７７ｂとを含む。内側摺動部７７の内周壁の形状は、内部ステム７４の外周壁の形状と相補的な形状であり、ステム孔７６を非噴射時において、内側摺動部７７は、内部ステム７４の外周壁と密着する。
【００４１】
上部内側摺動部７７ａの上端は、内部ステム７４の外周壁とスカート部７５ｂの内周壁との間に形成される空間に挿入され、噴射時に外部ステム７５および内部ステム７４が下方向へ変位されると、内部ステム７４の外周壁と外部ステム７５の内周壁とにより形成される空間により深く挿入される。
【００４２】
下部内側摺動部７７ｂは、バネ部材７３により内部ステム７４が上方向に付勢されると、椀状部７４ａの当接溝７４ｈと下端とが当接し、上方向に付勢される。
【００４３】
外側摺動部７８は、空気導入孔６１ｅを適宜開閉する円柱状の部材であり、ハウジング本体６１の内周壁に沿って摺動する。また、外側摺動部７８は、連結環７９との接続箇所の上部に相当する上部外側摺動部７８ａと、連結環７９との接続箇所の下部に相当する下部外側摺動部７８ｂとを含む。
【００４４】
上部外側摺動部７８ａの上端は、バネ部材７３により内部ステム７４を介して上方向に付勢されると、後述するスペーサ部８１ａの下端と当接する。
【００４５】
連結環７９は、内側摺動部７７と外側摺動部７８とを連結する部位である。また、連結環７９は、上面において、スカート部７５ｂの下端と当接する。そのため、ピストン部材７２は、噴射時に外部ステム７５が押し下げられることにより、スカート部７５ｂが連結環７９の上面に当接した後、下方に押し下げられる。
【００４６】
ピストン部材７２を構成する材料としては、合成樹脂、シリコーンゴム、合成ゴム等の弾性力のある材料が例示される。
【００４７】
バネ部材７３は、ステム７１を上方に付勢するための部材であり、椀状部７４ａの下面に形成された接続溝７４ｃと接続される上端と、凹部６５ａの周囲に取り付けられる下端とを有する。バネ部材７３は、ハウジング本体６１内において圧縮した状態で配置されており、内部ステム７４を上方に付勢する。
【００４８】
このように構成されたバルブ機構７は、雌ネジ部６２ｄを雄ネジ部２３に螺合させることにより、容器本体２に固定される。
【００４９】
（逆止弁機構８）
逆止弁機構８は、外部から空気を容器本体２内に適宜導入するための機構であり、ネジキャップ６２とハウジング本体６１との間に設けられ、押さえ部材８１とシール材８２とを含む。
【００５０】
押さえ部材８１は、カバー部６２ｅとともにシール材８２を挟んで位置決めするための部材であり、ハウジング本体６１の内周壁と密接する円筒状のスペーサ部８１ａと、スペーサ部８１ａの上端から径方向の外向きに延びる環状の外シール片８１ｂと、スペーサ部８１ａの上端から径方向の内向きに延びる環状の内シール片８１ｃとを含む。
【００５１】
スペーサ部８１ａの下端は、上部外側摺動部７８ａの上端と当接し、非噴射時におけるピストン部材７２の位置を決定する。外シール片８１ｂは、シール材８２を介してカバー部６２ｅと連結される上面と、ハウジング本体６１の上端と当接する下面とを有する。内シール片８１ｃは、後述するシール材８２の筒部８２ｂの外周壁のうち、基部８２ａとの接続箇所近傍と当接する。スペーサ部８１ａの内周壁は、シール材８２の筒部８２ｂの外周壁と離間されている。スペーサ部８１ａの内周壁と筒部８２ｂとが離間されて形成される空間は、後述されるとおり、筒部８２ｂが閉状態から開状態に変位する際に撓むための空間として利用される。
【００５２】
シール材８２は、外部ステム７５とハウジング本体６１とにより形成される空気導入路を開閉するための部材であり、ネジキャップ６２の内周壁に沿って取り付けられる外周縁と外部ステム７５が挿通される挿通孔を画定する内周縁とを有する基部８２ａと、内周縁から下方に延設され、外部ステム７５の外周壁と面接触する筒部８２ｂとを含む。筒部８２ｂの内径は、筒状部７５ｄの外径よりもわずかに小さくなるよう調整されている。基部８２ａは、ネジキャップ６２を首部２２に螺合することにより、カバー部６２ｅと外シール片８１ｂおよび内シール片８１ｃの上面とにより押圧状態で挟まれる。また、筒部８２ｂの内径は、筒状部７５ｄの外径よりもわずかに小さいため、筒部８２ｂは、所定の面接触圧で空気導入路を閉止する（閉状態）。シール材８２は、このように閉状態にある場合、容器本体２内と外部とを充分に遮断し、容器本体２内からの炭酸ガスの漏洩を防止することができる。
【００５３】
ここで、筒部８２ｂが外部ステム７５を閉止する圧力（閉止圧）は、上記した面接触圧のほかに、容器本体２の内圧を含む。すなわち、容器本体２内と空気導入空間Ｓ２とは、空気導入孔６１ｅにより連通されている。空気導入孔６１ｅは、噴射時にピストン部材７２が下方へ摺動されることにより開放される。この場合、開放された空気導入孔６１ｅを介して容器本体２の気相部分と空気導入空間Ｓ２とが連通され、同じ圧力となる。したがって、シール材８２は、面接触圧と容器本体２の内圧とを含む閉止圧により外部ステム７５を閉止する。
【００５４】
＜噴射部材４＞
噴射部材４は、外部ステム７５に装着される噴射ノズル４１と、ネジキャップ６２に装着される操作部４２とを含む。
【００５５】
噴射ノズル４１は、Ｌ字型の筒状体であり、筒状部７５ｄの上端と接続される一端と、先端ノズル４３が接続された他端とを備える。噴射ノズル４１の外周壁には、後述するレバー４２ｂの本体部４２ｈに形成された軸受に軸支される回動軸４１ａが設けられている。
【００５６】
先端ノズル４３は、原液５の噴射方向や噴射形状等を調整するための治具であり、噴射ノズル４１に接続される一端と、原液５が噴射される噴射口４３ａが形成された他端とを含む。先端ノズル４３は、一端側から他端側にかけて外径が小さくなる縮径部４３ｂと、外径が一定であるパイプ部４３ｃとを備える。縮径部４３ｂにおける内部通路の径は、一端側から他端側にかけて次第に狭くなるよう形成されている。そのため、噴射時に先端ノズル４３の内部通路を通過する原液５は、噴射ノズル４１内を通過するときよりも速度が速められ、かつ、適用箇所に適切に噴射される。なお、噴射口４３ａの断面積は０．０１〜０．３５ｍｍ2が好ましく、特に０．０５〜０．２５ｍｍ2にすることで流速が速くなり原液が勢いよく噴射される。なお、先端ノズル４３は内部の通路が同径のチューブでもよく、先端にメカニカルブレークアップ機構を備えたノズルチップが装着されてもよい。
【００５７】
操作部４２は、貯留空間Ｓ１に貯留された原液５を噴射する操作を行うための部位であり、装着部６２ｃに装着されるレバー支持部４２ａと、レバー支持部４２ａに軸支されたレバー４２ｂとを含む。
【００５８】
レバー支持部４２ａは、円筒状の本体部４２ｃと、本体部４２ｃの側壁から突出する支持アーム４２ｄとを備える。本体部４２ｃは、装着部６２ｃが挿入される環状溝４２ｅが形成されており、環状溝４２ｅの内面には、装着部６２ｃの係合部６２ｆが係合する係合溝４２ｆが形成されている。レバー支持部４２ａは、環状溝４２ｅに装着部６２ｃが挿入され、係合部６２ｆと係合溝４２ｆとが係合されることにより、ネジキャップ６２に装着される。支持アーム４２ｄの上端近傍には、後述するレバー４２ｂに設けられる軸受（図示せず）に軸支される回動軸４２ｇが形成されている。
【００５９】
レバー４２ｂは、使用者が噴射時に操作する部位であり、支持アーム４２ｄに軸支される軸受が形成された一端と、先端ノズル４３が露出される他端とを含む本体部４２ｈと、本体部４２ｈの他端から下方に延設されたトリガー部４２ｉとを含む。本体部４２ｈは、中央部分に、回動軸４１ａが軸支される軸受（図示せず）が形成されている。トリガー部４２ｉは、噴射時に使用者によって操作される。
【００６０】
このように構成された噴射部材４によれば、使用者がトリガー部４２ｉを引くことにより、レバー４２ｂは回動自在に軸支された後端を基点として回動し、かつ、中央部分に形成された軸受を介して噴射ノズル４１を下方に押し下げる。
【００６１】
（内容物）
内容物は、容器本体２に充填され、原液５と原液５に溶解する炭酸ガスとを含む。原液５としては、有効成分を溶媒に配合したものが例示される。
【００６２】
有効成分としては、塩化カルプロニウムやトウガラシチンキなどの血行促進剤、酢酸トコフェロールやパンテノールなどのビタミン類、グリチルリチン酸ジカリウムなどの消炎剤、サリチル酸やレゾルシンなどの角質溶解剤、センブリ抽出液やローズマリー抽出液などの各種抽出物、ミントやメントールなどの清涼剤、塩化セチルピリジニウムやイソプロピルメチルフェノールなどの殺菌消毒剤、グリチルリチン酸ジカリウムやトラネキサム酸などの抗炎症剤、キシリトールなどの甘味料、グリセリンや１，３−ブチレングリコールなどの保湿剤、香料などが例示される。
【００６３】
溶媒としては、精製水、イオン交換水、生理食塩水などの水、エタノールやイソプロパノールなどの炭素数が２〜３個の１価アルコール、およびこれらの混合物などが例示される。
【００６４】
本実施形態の内容物には、用途や目的などに応じて、ポリソルベートなどの界面活性剤、ヒドロキシエチルセルロースやカルボキシビニルポリマーなどの水溶性高分子、クエン酸や乳酸などのｐＨ調整剤、エデト酸二ナトリウムなどのキレート剤、パラベンやフェノキシエタノールなどの防腐剤などの添加材が配合されてもよい。
【００６５】
原液５は、用途や目的など応じて選択された有効成分や添加剤を溶媒に添加して溶解または乳化させることにより調製することができる。
【００６６】
原液５および炭酸ガスを充填する方法は、特に限定されず、容器本体２内に原液５を充填し、容器本体２の開口上端とフランジ部６１ａの下面に設けられるガスケット６４との間に隙間を確保するようにポンプバルブ３を保持し、隙間から炭酸ガスを充填し、ネジキャップ６２を取り付けて密封し、噴射部材４を取り付ける方法が例示される。
【００６７】
なお、充填された炭酸ガスは時間経過とともに原液５中に溶解し、平衡状態になる。原液５中に溶解している炭酸ガスの濃度は、５０ｐｐｍ以上であることが好ましく、１００ｐｐｍ以上であることがより好ましい。また、原液５中に溶解している炭酸ガスは、３００００ｐｐｍ以下であることが好ましく、２７０００ｐｐｍ以下であることがより好ましい。炭酸ガスの濃度が５０ｐｐｍよりも少ない場合は、炭酸ガスによる効果が得られにくい傾向がある。一方、炭酸ガスの濃度が３００００ｐｐｍよりも多い場合は、加圧式噴射製品１の圧力が高くなる傾向がある。
【００６８】
炭酸ガスが充填された後の容器本体の内圧（平衡圧力（２５℃でのゲージ圧））は、０．０５ＭＰａ以上であることが好ましく、０．０８ＭＰａ以上であることがより好ましく、０．１ＭＰａ以上であることがさらに好ましい。また、容器本体の内圧は、０．５ＭＰａ以下であることが好ましく、０．３ＭＰａ以下であることがより好ましく、０．２ＭＰａであることがさらに好ましい。容器本体の内圧が０．０５ＭＰａよりも低い場合は、原液５中に溶解している炭酸ガス量が少なくなり、噴射された後に炭酸ガスによる血行促進効果が得られにくい傾向がある。一方、容器本体の内圧が０．５ＭＰａよりも高い場合は、充填時の圧力が高くなり、容器本体２に高い耐圧性とシール性が必要となり、コストが高くなる傾向がある。
【００６９】
（一定量の原液５を噴射する動作の一例）
次に、上記構成の加圧式噴射製品１を用いて原液５を噴射する場合の動作の一例が、図１および図２に加えて図４および図５を参照して説明される。図４は、噴射動作において所定の長さ分だけ噴射ノズル４１が押し下げられた状態を説明する模式的な断面図である。図５は、噴射動作において噴射ノズル４１が完全に押し下げられた状態を説明する模式的な断面図である。
【００７０】
まず、噴射前の状態では、図１および図２に示されるように、バネ部材７３により内部ステム７４、外部ステム７５およびピストン部材７２は、上方へ付勢されている。この状態において、ステム孔７６が閉止されている。使用者によりトリガー部４２ｉが操作されて噴射ノズル４１が押し下げられると、内部ステム７４と外部ステム７５とは、一体となって下方へ摺動し、図４に示される状態に変位する。図４に示されるように、内部ステム７４と外部ステム７５とは、スカート部７５ｂの下端が連結環７９に当接するまで一体的に下降する。この変位により、ステム孔７６は、下部内側摺動部７７ｂの外周壁による閉止から開放される。
【００７１】
次いで、噴射ノズル４１がさらに押し下げられると、内部ステム７４と外部ステム７５とピストン部材７２とは、一体となって下方へさらに摺動し、図５に示される状態に変位する。図５に示されるように、空気導入孔６１ｅは、外側摺動部７８の外周壁による閉止から開放される。ピストン部材７２が下方へ移動することにより、貯留空間Ｓ１の容積が狭められる。そのため、貯留空間Ｓ１内に貯留されていた原液（図示せず）は、加圧され、ステム孔７６から内部ステム内通路７４ｄ、外部ステム内通路７５ａおよび噴射ノズル４１の内部通路を経て先端ノズル４３の噴射口４３ａから噴射される。ポンプバルブ３により原液５が加圧される程度は、貯留空間Ｓ１の容積や、内部ステム７４、ピストン部材７２および外部ステム７５の形状等を調整することにより適宜調節することができる。本実施形態のポンプバルブ３は、中でも、原液５が０．５ＭＰａ以上に加圧されるよう調節されることが好ましく、０．６ＭＰａ以上に加圧されるよう調節されることがより好ましい。また、ポンプバルブ３は、原液５が１．５ＭＰａ以下に加圧されるよう調節されることが好ましく、１．３ＭＰａ以下に加圧されるよう調節されることがより好ましい。原液５は、０．５ＭＰａ以上に加圧されるようポンプバルブ３が調節されることにより、適切な噴射力で噴射され、適用箇所に充分な刺激を与えることができる。一方、原液５は、１．５ＭＰａ以下に加圧されるよう調節されることにより、適用箇所を過度に刺激することなく適切な刺激を与えるよう噴射されやすい。また、原液５は、１．５ＭＰａ以下に加圧されるよう調節されることにより、先端ノズル４３の抜け飛びが防止され、安全である。
【００７２】
その後、使用者によるトリガー部４２ｉの操作が止められると、復帰動作および貯留空間Ｓ１への原液の取り込み動作が開始される。すなわち、バネ部材７３の付勢力により、内部ステム７４および外部ステム７５は、一体となって上方へ押し上げられ、ステム孔７６が下部内側摺動部７７ｂの内周壁により再び閉止される。また、当接溝７４ｈに、下部内側摺動部７７ｂの下端が当接する。次いで、さらにバネ部材７３の付勢力により、内部ステム７４、ピストン部材７２および外部ステム７５は、一体となって上方へ押し上げられる。その結果、空気導入孔６１ｅは、外側摺動部７８の外周壁により再び閉止される。また、内部ステム７４、ピストン部材７２および外部ステム７５の上方への移動は、上部外側摺動部７８ａの上端がスペーサ部８１ａの下端と当接することにより制止される。
【００７３】
このように、バネ部材７３により、内部ステム７４、外部ステム７５およびピストン部材７２が一体となって押し上げられる際、ステム孔７６は閉止されている。そのため、バネ部材７３によりさらに内部ステム７４、外部ステム７５およびピストン部材７２が上方へ押し上げられると、ボール６５ｂも上方へ移動し、液相連通孔６１ｄと貯留空間Ｓ１とを連通箇所を開放する。その結果、貯留空間Ｓ１には、容器本体２から新たに一定量の原液５が取り込まれる。このような一連の動作が繰り返されることにより、原液５は、一定量が貯留空間Ｓ１に取り込まれた後に、噴射される。
【００７４】
（逆止弁機構８による空気の取り込み動作の一例）
上記のような一定量の原液５が噴射される動作が繰り返される場合、容器本体２内に貯留された原液５は、噴射される度に一部が貯留空間Ｓ１に取り込まれるため、容量が減少する。そのため、使用により容器本体２内の気相部分の容量が次第に増え、容器本体２の内圧が低下する。この場合、原液５に対する炭酸ガスの溶解量が低下し、炭酸ガスが容器本体２の気相部分に揮発しやすくなる。その結果、原液５は一定量噴射されるが、噴射された原液５に含まれる炭酸ガスの溶解量が少なくなる可能性がある。しかしながら、本実施形態の加圧式噴射製品１は、上記のとおり、空気導入路を閉止する閉状態と、空気導入路を開放する開状態とに変位する逆止弁機構８を備えている。逆止弁機構８は、容器本体２の内圧が低下した際に逆止弁機構８により外部から空気を取り込むことができる。そのため、原液５に対する炭酸ガスの溶解量が低下しすぎることがない。以下、逆止弁機構８による空気取り込み動作の一例が、図３に加えて図６を参照してより詳細に説明される。図６は、開状態にあるシール材８２の模式的な断面図である。
【００７５】
まず、図３に示されるように、シール材８２は、筒部８２ｂを外部ステム７５の外周壁に面接触させることにより、所定の閉止圧（閉止圧Ｐ１）により空気導入路を閉止している（閉状態）。なお、閉状態において、筒部８２ｂの下端は、噴射時であっても小径部７５ｅの下端よりも下方に位置するよう設計されている。このときのシール材８２による閉止圧は、面接触圧と容器本体２（図１参照）の内圧とを含む。そのため、筒部８２ｂは、小径部７５ｅの外周壁と面接触状態が維持されている。一方、原液の噴射後の上記復帰動作において、バネ部材７３により内部ステム７４、ピストン部材７２および外部ステム７５が一体となって押し上げられる際に、貯留空間Ｓ１に一定量の原液５が取り込まれると、容器本体２内の気相部分の容積が増え、容器本体２の内圧が低下する。
【００７６】
容器本体２の内圧が高い状態（たとえば加圧式噴射製品１の保管時や使用初期など）では、閉止圧Ｐ１は充分に大きく、内圧の低下量（一定量の原液５が貯留空間Ｓ１に取り込まれる際に生じる内圧の低下量  以下、内圧の低下量Ｐ２という）以上となる（Ｐ１≧Ｐ２）。そのため、シール材８２は、閉状態が維持される。
【００７７】
一方、使用により容器本体２の内圧が低下すると、上記のとおり、シール材８２の閉止圧も低下する。そして、内圧の低下量Ｐ２が、低下した閉止圧（閉止圧Ｐ３、Ｐ１＞Ｐ３）を上回る場合（Ｐ３＜Ｐ２）、図６に示されるように、筒部８２ｂは径方向の外側に撓む。より具体的には、外部の空気は、矢印Ａ１および矢印Ａ２に示されるように、小径部７５ｅの上端と、筒部８２ｂの上端との間に形成された隙間から導入され、筒部８２ｂの下端と外部ステム７５の外周壁とが面接触していた箇所（面接触箇所Ｐａ、図３参照）に集中し、筒部８２ｂの下端を径方向の外側に撓ませる。その結果、空気導入路が開放され、外部からの空気が容器本体２内に導入される。その後、上記のとおりバネ部材７３により外部ステム７５がさらに上方に付勢されることにより、上部外側摺動部７８ａによって空気導入孔６１ｅが閉止され（図２参照）、容器本体２内に導入された空気により、容器本体２の内圧は高められる。したがって、原液５に溶解した炭酸ガスは、揮発が抑制される。また、このような容器本体２の内圧の上昇に伴い、シール材８２による閉止圧も増加する。そのため、筒部８２ｂは、図３に示されるように、外部ステム７５の外周壁と面接触し、再び空気導入路を閉止する（閉状態）。
【００７８】
以上、本実施形態の加圧式噴射製品１は、使用により内容物が少なくなった場合であっても、容器本体２の内圧の低下とは無関係に、ポンプバルブ３により、炭酸ガスの溶解した原液５を一定量取り込んで一定の噴射圧力で噴射することができる。その結果、本実施形態の加圧式噴射製品１は、一定の圧力で噴射された原液による刺激と、原液に溶解している炭酸ガスにより、安定して継続的に適用箇所を刺激することができる。
【００７９】
また、本実施形態の加圧式噴射製品１は、使用により内容物が少なくなった場合において、逆止弁機構８により、外部から空気を容器本体２に導入して、容器本体２の内圧を高めることができる。そのため、容器本体２の内圧は、適宜高められ、原液５に溶解した炭酸ガスは、気相部分へ揮発しにくい。その結果、原液５における炭酸ガスの溶解量の低下を抑制することができる。したがって、噴射された炭酸ガスにより、充分な血行促進効果が安定して継続的に得られる。
【００８０】
さらに、このような加圧式噴射製品１は、たとえば、頭皮に噴射する育毛剤、頭皮の皮脂汚れを除去するクレンジング剤、肩こりや腰痛、筋肉痛などの患部に噴射する消炎鎮痛剤、歯茎などの粘膜に噴射するマッサージ剤、歯間に噴射する洗浄剤、口腔内に噴射する口中清涼剤などに好適に用いることができる。
【００８１】
以上、本発明の一実施形態について、図面を参照して説明したが、本発明の加圧式噴射製品は、たとえば次のような変形実施形態を採用することができる。
【００８２】
（１）上記実施形態では、容器本体の内圧を高めて、炭酸ガスの揮発を抑制するために、逆止弁機構を備えた加圧式噴射製品を例示した。本発明は、これに代えて、逆止弁機構が省略されてもよい。この場合、たとえばネジキャップとハウジングとの間にガスケットを設け、外部からの空気の流入を防ぐ構成を採用することができる。このような変形実施形態によれば、外部から空気が導入されないため、ハウジング本体の空気導入孔は不要となる。また、空気導入孔を閉止するためのピストン部材が省略され、外部ステムの内周壁により内部ステムのステム孔を開閉する構成が採用されてもよい。このような変形実施形態によれば、外部から空気が導入されないため、保管時や噴射時に炭酸ガスが特に漏洩されにくい。また、原液と炭酸ガスとが密封されるため、外部の空気や雑菌などが容器本体内に侵入することが防がれる。その結果、加圧式噴射製品は、長期間保管されても原液の品質が維持される。また、加圧式噴射製品は、部品点数が減らされ、低コスト化が図られる。
【００８３】
（２）上記実施形態では、逆止弁機構として、ネジキャップの内周壁に沿って取り付けられる外周縁と外部ステムが挿通される挿通孔を画定する内周縁とを有する基部と、内周縁から下方に延設され、外部ステムの外周壁と面接触する筒部とを含むシール材を含む逆止弁機構を例示した。本発明は、これに代えて、基部の外周縁をハウジング本体の内周壁に取り付けるなどの設計変更を行うことができる。また、本発明に好ましくは設けられる逆止弁機構は、所定の閉止圧により容器本体内と外部とを連通する空気導入路を閉止することができ、かつ、使用により容器本体の内圧が低下したときに、適宜閉状態から開状態に変位して、容器本体内に空気を導入することのできる構成であればよい。このような変形実施形態の一例として、たとえば、外周壁において、シール材の基部よりも上方の位置に、径方向の外側に膨出した周状のフランジ部が形成された外部ステムを準備し、このような外部ステムに対して、筒部が省略され、シール材の外部ステムが挿通される挿通孔の径が外部ステムの筒状部の外径よりも大きく、かつ、フランジ部の外径よりも小さくなるように調整されたシール材が挙げられる。このような変形実施形態によれば、非噴射時にフランジ部の下面と基部の内周縁近傍の上面とが面接触する逆止弁機構を構成することができる。
【００８４】
（３）上記実施形態では、レバーから先端ノズルが露出された噴射部材を例示した。本発明は、これに代えて、噴射時に先端ノズルの抜け飛びを防止するための機構を備えてもよい。図７および図８は、本発明の変形実施形態の噴射部材の模式的な上面図である。図７および図８を参照して抜け飛び防止機構の一例が説明される。なお、本変形実施形態において、上記実施形態と同様の構成については、同一の参照符号が付され、説明は適宜省略される。本変形実施形態では、先端ノズル４３の外周壁に、係止突起４４ａが形成されている。また、先端ノズル４３の一端には、噴射ノズル４１の一端に形成された連結筒部４５ａが挿入される凹部４４ｂが形成されている。先端ノズル４３の凹部４４ｂの内周壁には、先端ノズル４３の長さ方向に対して斜めの方向に溝（図示せず）が形成されている。一方、噴射ノズル４１の連結筒部４５ａの外周壁には、溝と対応する突条（図示せず）が形成されている。先端ノズル４３は、係止突起４４ａが上方に向けられた図７の状態から、先端ノズル４３の軸方向に回転させることにより、係止突起４４ａが水平方向に向けられた図８の状態に変位され、溝と突条とが係合されて、噴射ノズル４１に取り付けられる。レバー４２ｂの本体部４２ｈの上面には、水平方向に向けられた係止突起４４ａの前方に立設される壁部４６ａを備えるガード部材４６が設けられている。本変形実施形態によれば、斜め方向に形成された溝と突条とにより先端ノズル４３と噴射ノズル４１とが取り付けられているため、噴射時に先端ノズル４３に前方向の応力が加えられる場合であっても、応力は先端ノズル４３の前方に加わりにくく、先端ノズル４３は抜け飛びにくい。また、仮に、溝と突条との係合が外れた場合であっても、先端ノズル４３の係止突起４４ａは壁部４６ａと衝突する。その結果、先端ノズル４３は、噴射ノズル４１から完全に抜け飛ぶことがない。
【実施例】
【００８５】
以下、実施例により本発明をより具体的に説明するが、本発明は、これら実施例に何ら限定されるものではない。
【００８６】
（実施例１）（歯間洗浄剤）
図１に示される容器本体（容器本体２、満注量１００ｍｌ）に原液として水を６０ｇ充填し、２５℃で平衡圧力が０．３ＭＰａとなる量の炭酸ガスを充填し、ポンプバルブ３および噴射部材４を取り付けて、加圧式噴射製品１を製造した。なお、噴射部材４は噴射口４３ａの断面積が０．０７ｍｍ2のものを用いた。噴射前の原液中に溶解している炭酸ガスの濃度について、原液および炭酸ガスの充填量、炭酸ガス充填直後の圧力、炭酸ガスが溶解して平衡状態になったときの平衡圧力から算出したところ、６８００ｐｐｍであった。
【００８７】
（比較例１）
汎用のエアゾール容器（満注量１００ｍｌ）に原液として水を６０ｇ充填し、２５℃で平衡圧力が０．３ＭＰａとなる量の炭酸ガスを充填し、エアゾールバルブおよび噴射部材を取り付けて、エアゾール製品を製造した。なお、噴射部材は実施例１の噴射部材４と同様のものを用いた。本比較例のエアゾール製品は、実施例１の加圧式噴射製品１と異なり、外部から空気を導入するための空気導入路が形成されていない。噴射前の原液中に溶解している炭酸ガスの濃度は、６８００ｐｐｍであった。
【００８８】
（実施例２）（歯茎のマッサージ剤）
図１に示される容器本体（容器本体２、満注量１００ｍｌ）に原液として下記の組成の原液Ａを６０ｇ充填し、２５℃で平衡圧力が０．３ＭＰａとなる量の炭酸ガスを充填し、ポンプバルブ３および噴射部材４を取り付けて、加圧式噴射製品１を製造した。なお、噴射部材４は噴射口４３ａの断面積が０．０７ｍｍ2のものを用いた。噴射前の原液中に溶解している炭酸ガスの濃度について、原液および炭酸ガスの充填量、炭酸ガス充填直後の圧力、炭酸ガスが溶解して平衡状態になったときの平衡圧力から算出したところ、７３００ｐｐｍであった。
【００８９】
（比較例２）
汎用のエアゾール容器（満注量１００ｍｌ）に原液として下記の組成の原液Ａを６０ｇ充填し、２５℃で平衡圧力が０．３ＭＰａとなる量の炭酸ガスを充填し、エアゾールバルブおよび噴射部材を取り付けて、エアゾール製品を製造した。なお、噴射部材は実施例１の噴射部材４と同様のものを用いた。本比較例のエアゾール製品は、実施例２の加圧式噴射製品１と異なり、外部から空気を導入するための空気導入路が形成されていない。噴射前の原液中に溶解している炭酸ガスの濃度は、７３００ｐｐｍであった。
【００９０】
（原液Ａの組成  （ｗｔ％））
サッカリンナトリウム            ０．１
ポリソルベート４０              ０．５
グリセリン                    １０．０
エタノール                    ２０．０
精製水                        ６９．４
（合計）                    １００．０
【００９１】
（実施例３）（育毛剤）
図１に示される容器本体（容器本体２、満注量１００ｍｌ）に原液として下記の組成の原液Ｂを６０ｇ充填し、２５℃で平衡圧力が０．３ＭＰａとなる量の炭酸ガスを充填し、ポンプバルブ３および噴射部材４を取り付けて、加圧式噴射製品１を製造した。なお、噴射部材４は噴射口４３ａの断面積が０．０７ｍｍ2のものを用いた。噴射前の原液中に溶解している炭酸ガスの濃度について、原液および炭酸ガスの充填量、炭酸ガス充填直後の圧力、炭酸ガスが溶解して平衡状態になったときの平衡圧力から算出したところ、９３００ｐｐｍであった。
【００９２】
（比較例３）
汎用のエアゾール容器（満注量１００ｍｌ）に原液として下記の組成の原液Ｂを６０ｇ充填し、２５℃で平衡圧力が０．３ＭＰａとなる量の炭酸ガスを充填し、エアゾールバルブおよび噴射部材を取り付けて、エアゾール製品を製造した。なお、噴射部材は実施例１の噴射部材４と同様のものを用いた。本比較例のエアゾール製品は、実施例３の加圧式噴射製品１と異なり、外部から空気を導入するための空気導入路が形成されていない。噴射前の原液中に溶解している炭酸ガスの濃度は、９３００ｐｐｍであった。
【００９３】
（原液Ｂの組成  （ｗｔ％））
センブリエキス                  ５．０
イソプロピルメチルフェノール    ０．２
メントール                      ０．３
ポリソルベート４０              ０．５
エタノール                    ５０．０
精製水                        ４４．０
（合計）                    １００．０
【００９４】
（実施例４）（消炎鎮痛剤）
図１に示される容器本体（容器本体２、満注量１００ｍｌ）に原液として下記の組成の原液Ｃを６０ｇ充填し、２５℃で平衡圧力が０．３ＭＰａとなる量の炭酸ガスを充填し、ポンプバルブ３および噴射部材４を取り付けて、加圧式噴射製品１を製造した。なお、噴射部材４は噴射口４３ａの断面積が０．２０ｍｍ2のものを用いた。噴射前の原液中に溶解している炭酸ガスの濃度について、原液および炭酸ガスの充填量、炭酸ガス充填直後の圧力、炭酸ガスが溶解して平衡状態になったときの平衡圧力から算出したところ、２５０００ｐｐｍであった。
【００９５】
（比較例４）
汎用のエアゾール容器（満注量１００ｍｌ）に原液として下記の組成の原液Ｃを６０ｇ充填し、２５℃で平衡圧力が０．３ＭＰａとなる量の炭酸ガスを充填し、エアゾールバルブおよび噴射部材を取り付けて、エアゾール製品を製造した。なお、噴射部材は実施例１の噴射部材４と同様のものを用いた。本比較例のエアゾール製品は、実施例４の加圧式噴射製品１と異なり、外部から空気を導入するための空気導入路が形成されていない。噴射前の原液中に溶解している炭酸ガスの濃度は、２５０００ｐｐｍであった。
【００９６】
（原液Ｃの組成  （ｗｔ％））
サリチル酸メチル                ２．０
メントール                      ２．０
プロピレングリコール            １．０
エタノール                    ９５．０
（合計）                    １００．０
【００９７】
（実施例５）（歯間洗浄剤）
図１に示される容器本体（容器本体２、満注量１００ｍｌ）に原液として水を６０ｇ充填し、２５℃で平衡圧力が０．２５ＭＰａとなる量の炭酸ガスを充填し、ポンプバルブ３および噴射部材４を取り付けて、加圧式噴射製品１を製造した。なお、噴射部材４は噴射口４３ａの断面積が０．０７ｍｍ2のものを用いた。噴射前の原液中に溶解している炭酸ガスの濃度について、原液および炭酸ガスの充填量、炭酸ガス充填直後の圧力、炭酸ガスが溶解して平衡状態になったときの平衡圧力から算出したところ、６２００ｐｐｍであった。
【００９８】
実施例１〜５、比較例１〜４で製造された各製品について、以下の方法により、表１に示す容器内圧力にした際の噴射圧力、噴射力および使用感を評価した。結果を表１に示す。
【００９９】
（１）容器内圧力
各製品を２５℃の恒温室に１日間保管し、容器内の圧力を測定した。
（２）噴射圧力
２５℃において所定の平衡圧力に調整した製品を用い、噴射時に加わる圧力を測定した。測定箇所は、外部ステム７５の先端とした。
（３）噴射力
２５℃において所定の平衡圧力に調整した製品を用い、距離１０ｃｍから垂直下方に噴射したときに受ける力を荷重測定器（（株）島津製作所製）を用いて測定した。
（４）使用感
２５℃において所定の平衡圧力に調整した製品を用い、各適用部位（実施例１および比較例１は歯間、実施例２および比較例２は歯茎、実施例３および比較例３は頭皮、実施例４および比較例４は腕）に噴射したときの使用感を下記の基準で評価した。
○：炭酸ガスによるシュワシュワとした刺激が充分に得られた。
△：炭酸ガスによるシュワシュワとした刺激が得られた。
×：炭酸ガスによる刺激が得られなかった。
【０１００】
【表１】
2015182813.tif 000003
【０１０１】
表１に示されるように、噴射圧力に関して、実施例１〜５において製造された加圧式噴射製品は、容器内圧力が０．３ＭＰａ以下であっても、０．９ＭＰａの噴射圧力を達成することができた。また、この噴射圧力は、使用により容器内圧力が０．１ＭＰａまで低下した場合であっても維持された。一方、比較例１〜４において製造されたエアゾール製品は、容器内圧力が０．３ＭＰａの場合には、噴射圧力が０．３ＭＰａであった。また、この噴射圧力は、使用により容器内圧力が０．１ＭＰａまで低下した場合に０．１ＭＰａにまで低下した。
【０１０２】
噴射力に関して、実施例１〜５において製造された加圧式噴射製品は、容器内圧力が０．３ＭＰａ以下であっても、８０ｍＮの噴射力を達成することができた。また、この噴射力は、使用により容器内圧力が０．１ＭＰａまで低下した場合であっても維持された。一方、比較例１〜４において製造されたエアゾール製品は、容器内圧力が０．３ＭＰａの場合には、噴射力が４０ｍＮ〜４５ｍＮであった。また、この噴射力は、使用により容器内圧力が０．１ＭＰａまで低下した場合に３０ｍＮ〜３５ｍＮにまで低下した。
【０１０３】
使用感に関して、実施例１〜５において製造された加圧式噴射製品は、容器内圧力が０．１ＭＰａ〜０．３ＭＰａの場合に炭酸ガスによる刺激が得られた。特に、容器内圧力が０．２ＭＰａに低下した場合であっても、充分な刺激が得られた。一方、比較例１〜４において製造されたエアゾール製品は、容器内圧力が０．３ＭＰａの場合には、炭酸ガスによる充分な刺激が得られていたが、使用により容器内圧力が０．２ＭＰａに低下すると、得られる刺激も低下し、０．１ＭＰａにまで低下すると、刺激は得られなくなった。
【０１０４】
以上より、本発明によれば、使用により容器内圧力が低下した場合であっても、一定の噴射圧力で一定量噴射することができ、かつ、使用感の低下しにくい加圧式噴射製品が得られることが分かった。
【符号の説明】
【０１０５】
１      加圧式噴射製品
２      容器本体
２１    本体部
２２    首部
２３    雄ネジ
３      ポンプバルブ
４      噴射部材
４１    噴射ノズル
４１ａ  回転軸
４２    操作部
４２ａ  レバー支持部
４２ｂ  レバー
４２ｃ  本体
４２ｄ  支持アーム
４２ｅ  環状溝
４２ｆ  係合溝
４２ｇ  回転軸
４２ｈ  本体部
４２ｉ  トリガー部
４３    先端ノズル
４３ａ  噴射口
４３ｂ  縮径部
４３ｃ  パイブ部
４４ａ  係止突起
４４ｂ  凹部
４５ａ  連結筒部
４６    ガード部材
４６ａ  壁部
５      原液
６１    ハウジング本体
６１ａ  フランジ部
６１ｂ  小径部
６１ｃ  連結溝
６１ｄ  液相連通孔
６１ｅ  空気導入孔
６２    ネジキャップ
６２ａ  天板
６２ｂ  側周部
６２ｃ  装着部
６２ｄ  雌ネジ
６２ｅ  カバー部
６２ｆ  係合部
６３    チューブ
６４    ガスケット
６５    ボール弁機構
６５ａ  凹部
６５ｂ  ボール
７      バルブ機構
７１    ステム
７２    ピストン部材
７３    バネ部材
７４    内部ステム
７４ａ  椀状部
７４ｂ  円状部
７４ｃ  接続溝
７４ｄ  内部ステム内通路
７４ｅ  円柱部
７４ｆ  縮径部
７４ｇ  小径部
７４ｈ  当接部
７５    外部ステム
７５ａ  外部ステム内通路
７５ｂ  スカート部
７５ｃ  縮径部
７５ｄ  筒状部
７５ｅ  小径部
７６    ステム孔
７７    内側摺動部
７７ａ  上部内側摺動部
７７ｂ  下部内側摺動部
７８    外側摺動部
７８ａ  上部外側摺動部
７８ｂ  下部外側摺動部
７９    連結環
８      逆止弁機構
８１    押さえ部材
８１ａ  スペーサ部
８１ｂ  外シール片
８１ｃ  内シール片
８２    シール材
８２ａ  基部
８２ｂ  筒部
【図１】
2015182813.tif 000004
【図２】
2015182813.tif 000005
【図３】
2015182813.tif 000006
【図４】
2015182813.tif 000007
【図５】
2015182813.tif 000008
【図６】
2015182813.tif 000009
【図７】
2015182813.tif 000010
【図８】
2015182813.tif 000011